(57)【特許請求の範囲】
【請求項１】
現金の引き出しを可能とさせる現金引き出しシステムであって、
引き出し用の現金を提供する現金提供者によって現金が装填され、利用者自身による操作に従った現金引き出し要求に応じて現金を出金することに特化したＣＤ機と、
出金額とその額に応じた出金手数料の情報を前記ＣＤ機から受信し、受信した前記出金額と前記出金手数料の情報を、前記出金額と前記出金手数料を利用者口座から引き落とす処理を行う金融機関ホストへ送信するＩＤＣサーバと、
前記ＩＤＣサーバから受信した前記出金額と前記出金手数料の情報に基づいて、前記出金額と前記出金手数料を合わせた額を、出金した前記利用者の口座から引き落とす処理を行うとともに、前記出金額を前記現金提供者の口座へ送金する送金処理をし、更に前記出金手数料の一部である仲介手数料の情報を前記ＩＤＣサーバへ送信する前記金融機関ホストとを、
備え、
前記ＩＤＣサーバは、前記金融機関ホストから送信された前記仲介手数料の情報に基づいて、前記仲介手数料の一部を前記現金提供者への分配金として決定すると共に、前記仲介手数料から前記分配金を差し引いた分を前記ＩＤＣサーバの管理者の取り分として決定し、決定された前記分配金を前記現金提供者へ分配することを特徴とする現金引き出しシステム。
【請求項２】
前記ＩＤＣサーバは、受信する前記出金額と前記出金手数料の情報に基づいて、出金取引の内容を示す出金取引レポートを作成し、作成された前記出金取引レポートに基づいて前記分配金を決定することを特徴とする請求項１に記載の現金引き出しシステム。
【請求項３】
前記ＣＤ機は、移動体に搭載される移動式のＣＤ機であることを特徴とする請求項１又は２に記載の現金引き出しシステム。
【請求項４】
前記分配金を前記現金提供者の口座へ送金することを特徴とする請求項１乃至３のいずれか１項に記載の現金引き出しシステム。
【請求項５】
前記利用者が前記ＣＤ機によって現金を引き出す際、直接、前記分配金を前記現金提供者に支払うことを特徴とする請求項１乃至３のいずれか１項に記載の現金引き出しシステム。
【請求項６】
引き出し用の現金を提供する現金提供者によって装填された現金を出金することに特化したＣＤ機と、利用者口座から現金の引き落とし処理を行う金融機関ホストと、前記ＣＤ機と前記金融機関ホストとの間の通信を仲介するＩＤＣサーバとから構成される現金の引き出しを可能とさせる現金引き出しシステムによる現金引き出し方法であって、
利用者自身による操作に従った現金引き出し要求に応じて現金を出金する、前記ＣＤ機によるステップと、
出金額とその額に応じた出金手数料の情報を前記ＣＤ機から受信し、受信した前記出金額と前記出金手数料の情報を、前記金融機関ホストへ送信する、前記ＩＤＣサーバによるステップと、
前記ＩＤＣサーバから受信した前記出金額と前記出金手数料の情報に基づいて、前記出金額と前記出金手数料を合わせた額を、出金した前記利用者の口座から引き落とす処理を行うとともに、前記出金額を前記現金提供者の口座へ送金する送金処理をし、更に前記出金手数料の一部である仲介手数料の情報を前記ＩＤＣサーバへ送信する、前記金融機関ホストによるステップとを、
有し、
前記ＩＤＣサーバは、前記金融機関ホストから送信された前記仲介手数料の情報に基づいて、前記仲介手数料の一部を前記現金提供者への分配金として決定すると共に、前記仲介手数料から前記分配金を差し引いた分を前記ＩＤＣサーバの管理者の取り分として決定し、決定された前記分配金を前記現金提供者へ分配する、ことを特徴とする現金引き出し方法。
【請求項７】
前記ＩＤＣサーバが、受信する前記出金額と前記出金手数料の情報に基づいて、出金取引の内容を示す出金取引レポートを作成し、作成された前記出金取引レポートに基づいて前記分配金を決定するステップ、を更に有することを特徴とする請求項６に記載の現金引き出し方法。
【請求項８】
前記ＣＤ機は、移動に搭載される移動式のＣＤ機であることを特徴とする請求項６又は７に記載の現金引き出し方法。
【請求項９】
前記ＩＤＣサーバが、前記分配金を前記現金提供者の口座へ送金するステップ、を更に有することを特徴とする請求項６乃至８のいずれか１項に記載の現金引き出し方法。
【請求項１０】
前記ＣＤ機が、利用者によって現金を引き出す際、直接、前記分配金を前記現金提供者に支払うステップ、を更に有することを特徴とする請求項６乃至８のいずれか１項に記載の現金引き出し方法。
【発明の詳細な説明】
【技術分野】
【０００１】
本発明は、預金口座から現金を引き出す現金引き出しシステムに関する。
【背景技術】
【０００２】
従来、預金口座から出金する場合には、金融機関の窓口や、金融機関やコンビニエンスストアなどに設置されたＡＴＭに出向く必要があった。金融機関などに設置されるＡＴＭの一例が、例えば下記の特許文献１に開示されている。
【０００３】
しかし、過疎地などにより近所に金融機関の窓口やＡＴＭがない場合や、近所に金融機関の窓口やＡＴＭがあっても体が不自由であるなどの理由で自ら出向くことができない場合には、預金口座から出金することが困難であった。
【０００４】
この問題を解決する方法として、金融機関がＡＴＭを車輌に搭載し、過疎地などに出張することで預金口座から出金できるようにする方法がある。また、近所に金融機関の窓口やＡＴＭがない場合には、近所にある小規模な個人商店などにＡＴＭを設置して出金できるようにする方法がある。
【先行技術文献】
【特許文献】
【０００５】
【特許文献１】特開２００８−１０２７７５号公報
【発明の概要】
【発明が解決しようとする課題】
【０００６】
しかし、金融機関にとってＡＴＭを車輌に搭載して出張することは負担が大きいため、日常的に出張することは困難である。また、ＡＴＭの現金の補充や回収は、通常、金融機関が業者に委託するため、業者への委託に見合ったＡＴＭによる取引が行われない場所にＡＴＭを設置することは金融機関にとってメリットがない。このことから、ＡＴＭによる取引が頻繁に行われない小規模な個人商店にＡＴＭを設置することは、金融機関にとってメリットがないため、運用に多大なコストがかかるＡＴＭを設置することは困難である。したがって、日常的に出金することが困難であった。
【０００７】
本発明は、上記課題に鑑み、金融機関の窓口や金融機関が設置するＡＴＭによらずに、預金口座から現金を引き出すことができる現金引き出しシステムを提供することを目的とする。
【課題を解決するための手段】
【０００８】
上記目的を達成するために、本発明は、現金の引き出しを可能とさせる現金引き出しシステムであって、引き出し用の現金を提供する現金提供者によって現金が装填され、利用者自身による操作に従った現金引き出し要求に応じて現金を出金することに特化したＣＤ（Cash Dispenser）機と、出金額とその額に応じた出金手数料の情報を前記ＣＤ機から受信し、受信した前記出金額と前記出金手数料の情報を、前記出金額と前記出金手数料を利用者口座から引き落とす処理を行う金融機関ホストへ送信するＩＤＣ（Internet Data Center）サーバと、前記ＩＤＣサーバから受信した前記出金額と前記出金手数料の情報に基づいて、前記出金額と前記出金手数料を合わせた額を、出金した前記利用者の口座から引き落とす処理を行うとともに、前記出金額を前記現金提供者の口座へ送金する送金処理をし、更に前記出金手数料の一部である仲介手数料の情報を前記ＩＤＣサーバへ送信する前記金融機関ホストとを備え、前記ＩＤＣサーバは、前記金融機関ホストから送信された前記仲介手数料の情報に基づいて、前記仲介手数料の一部を前記現金提供者への分配金として決定すると共に、前記仲介手数料から前記分配金を差し引いた分を前記ＩＤＣサーバの管理者の取り分として決定し、決定された前記分配金を前記現金提供者へ分配することを特徴とする。
【０００９】
また、本発明の現金引き出しシステムにおいて、前記ＩＤＣサーバが、受信する前記出金額と前記出金手数料の情報に基づいて、出金取引の内容を示す出金取引レポートを作成し、作成された前記出金取引レポートに基づいて前記分配金を決定することは、好ましい態様である。
【００１０】
また、本発明の現金引き出しシステムにおいて、前記ＣＤ機が、移動体に搭載される移動式のＣＤ機であることは、好ましい態様である。
【００１１】
また、本発明の現金引き出しシステムにおいて、前記分配金を前記現金提供者の口座へ送金することは、好ましい態様である。
【００１２】
また、本発明の現金引き出しシステムにおいて、前記利用者が前記ＣＤ機によって現金を引き出す際、直接、前記分配金を前記現金提供者に支払うことは、好ましい態様である。
【００１３】
また、本発明は、引き出し用の現金を提供する現金提供者によって装填された現金を出金することに特化したＣＤ機と、利用者口座から現金の引き落とし処理を行う金融機関ホストと、前記ＣＤ機と前記金融機関ホストとの間の通信を仲介するＩＤＣサーバとから構成される現金の引き出しを可能とさせる現金引き出しシステムによる現金引き出し方法であって、利用者自身による操作に従った現金引き出し要求に応じて現金を出金する、前記ＣＤ機によるステップと、出金額とその額に応じた出金手数料の情報を前記ＣＤ機から受信し、受信した前記出金額と前記出金手数料の情報を、前記金融機関ホストへ送信する、前記ＩＤＣサーバによるステップと、前記ＩＤＣサーバから受信した前記出金額と前記出金手数料の情報に基づいて、前記出金額と前記出金手数料を合わせた額を、出金した前記利用者の口座から引き落とす処理を行うとともに、前記出金額を前記現金提供者の口座へ送金する送金処理をし、更に前記出金手数料の一部である仲介手数料の情報を前記ＩＤＣサーバへ送信する、前記金融機関ホストによるステップとを有し、前記ＩＤＣサーバは、前記金融機関ホストから送信された前記仲介手数料の情報に基づいて、前記仲介手数料の一部を前記現金提供者への分配金として決定すると共に、前記仲介手数料から前記分配金を差し引いた分を前記ＩＤＣサーバの管理者の取り分として決定し、決定された前記分配金を前記現金提供者へ分配する、ことを特徴とする。
【００１４】
また、本発明の現金引き出し方法において、前記ＩＤＣサーバが、受信する前記出金額と前記出金手数料の情報に基づいて、出金取引の内容を示す出金取引レポートを作成し、作成された前記出金取引レポートに基づいて前記分配金を決定するステップ、を更に有することは、好ましい態様である。
【００１５】
また、本発明の現金引き出し方法において、前記ＣＤ機は、移動に搭載される移動式のＣＤ機であることは、好ましい態様である。
【００１６】
また、本発明の現金引き出し方法において、前記ＩＤＣサーバが、前記分配金を前記現金提供者の口座へ送金するステップ、を更に有することは、好ましい態様である。
【００１７】
また、本発明の現金引き出し方法において、前記ＣＤ機が、利用者によって現金を引き出す際、直接、前記分配金を前記現金提供者に支払うステップ、を更に有することは、好ましい態様である。
【発明の効果】
【００１８】
本発明によれば、金融機関の窓口や金融機関が設置するＡＴＭによらずに、預金口座から現金を引き出すことができる。
【図面の簡単な説明】
【００１９】
【図１】実施の形態に係る現金引き出しシステムの構成の一例を示す図である。
【図２】実施の形態に係る現金引き出しシステムの具体的な構成の一例を示す図である。
【図３】実施の形態における出金取引レポートの一例を示す図である。
【図４】実施の形態におけるＩＤＣサーバの機能構成の一例を示す図である。
【図５】実施の形態におけるＩＤＣサーバを実現するためのハードウェア構成の一例を示す図である。
【図６】実施の形態における出金手数料などの流れを説明するための図である。
【図７】実施の形態におけるＩＤＣサーバを含む現金引き出しシステムの処理フローの一例を示すフローチャートである。
【図８】実施の形態におけるＣＤ機の外観の一例を示す外観図である。
【発明を実施するための形態】
【００２０】
以下、実施の形態について図面を参照して説明する。まず、実施の形態に係る現金引き出しシステムの一例について図１を用いて説明する。現金引き出しシステム１は、ＣＤ（Cash Dispenser）機２、ＩＤＣ（Internet Data Center）サーバ３、決済システム４、金融機関ホスト５から構成されている。これらは、所定の通信回線で繋がっている。図１では、ＣＤ機２は１台のみであるが、１台に限られず、複数のＣＤ機２がＩＤＣサーバ３に接続されていてもよい。なお、ＣＤ機２は出金装置とも呼ぶ。ＩＤＣサーバ３は仲介装置とも呼ぶ。金融機関ホスト５は引き落とし装置とも呼ぶ。
【００２１】
ＣＤ機２は、装填された現金（引き出し用の現金）を、利用者の現金引き出し要求に応じて出金する装置であって、出金額と後述する出金手数料の情報をＩＤＣサーバ３へ送信する。このとき、ＣＤ機２は、利用者のキャッシュカードによって認識される口座番号の情報や暗証番号の情報などもＩＤＣサーバ３へ送信する。送信された情報は、ＩＤＣサーバ３から決済システム４や金融機関ホスト５へ送信されることで、決済システム４は、後述する所定のチェックを行い、金融機関ホスト５は、該当する口座から現金引き落としの処理を行うことができる。
【００２２】
以下では、口座番号の情報や暗証番号の情報の送信について特に明言しないが、ＩＤＣサーバ３、決済システム４、金融機関ホスト５は、口座番号の情報や暗証番号の情報などを出金額などの情報とともに受信し、受信された口座番号の情報などを用いて、後述する引き落とし処理、送金処理、所定のチェックなどを行っている。
【００２３】
上記ＣＤ機２の外観の一例を図８に示す。利用者は、出金する際、キャッシュカードをカード挿入口８０に挿入し、所望する出金額をタッチパネルＰＣ８１を介して入力する。入力が完了すると、ＣＤ機２は、決済システム４と通信を行い、後述の所定のチェックなどに問題がないことを確認して出金許可を通知し、入力された出金額を紙幣取出し口８２から出金するとともに、出金額や後述する出金手数料を印字したレシートをレシート排出口８３から排出する。カバー・キー８４は、ＣＤ機２本体を覆うカバーの本体へのロックを解除するため、又はカバーの本体へのロックをするためのキーである。
【００２４】
ＣＤ機２に装填される現金は、現金提供者と呼ばれる者によって提供されるものである。ＣＤ機２への現金の装填や回収は現金提供者によって行われる。現金提供者は、金融機関や金融機関によって委託された業者ではなく、例えばＣＤ機２が設置される個人商店の経営者などである。現金提供者が金融機関でないことにより、現金の管理が容易になる。
【００２５】
例えば、ＣＤ機２の現金を提供する者が金融機関や金融機関に委託された業者の場合、法的規制を受け、装填した現金がどこにどれだけあり、現金が移動中であればどこを移動しているかなど様々な管理をする必要がある。すなわち、金融機関が扱う現金については法的規制が厳しい。一方、ＣＤ機２の現金を提供する者が金融機関や金融機関に委託された業者以外の者、すなわち法的規制の適用を受けない者の場合、上記のような管理をする必要はない。また、ＣＤ機２は、様々なサービスを提供する金融機関のＡＴＭとは異なり、基本的には現金の引き出しに特化したものである。そのため、複雑な機能を搭載することで大型化するＡＴＭとは異なり、小型化を実現でき、小規模な個人商店などに容易に設置することが可能となる。
【００２６】
なお、ＣＤ機２は、個人商店などに固定的に設置されるものだけでなく、移動体（例えば、車輌）に搭載された移動式のものであってもよい。この場合、ＩＤＣサーバ３とは、無線通信を介して通信を行うことになる。移動式のＣＤ機２の場合の現金提供者は、例えばＣＤ機２を移動体に搭載する搭載者となる。
【００２７】
ＩＤＣサーバ３は、ＣＤ機２と金融機関ホスト５との間に位置し、所定の通信回線（例えば、図２に示すモバイルネットワーク２０など）を通じて、出金された額（出金額）とその額に応じた出金手数料の情報をＣＤ機２から受信し、受信した出金額と出金手数料の情報を、決済システム４や、利用者口座からの現金引き落とし処理を行う金融機関ホスト５へ送信する。
【００２８】
ＩＤＣサーバ３は、より具体的には、図２に示すように、モバイルネットワーク２０や所定のネットワークサービス２１などを介して、ＶＰＮ（Virtual Private Network）ルータ２２を備えるＣＤ機２と接続され、また決済システム４を介して金融機関ホスト５と接続されている。ＩＤＣサーバ３は、例えば、ゲートウェイ２２を含むＩＤＣシステムの一部であり、後述する分配金の決定や出金取引レポートの作成などを主として行う。
【００２９】
出金手数料とは、ＣＤ機２を利用して利用者の預金口座（以下、単に口座とも言う）から出金する際に掛かる手数料を言う。出金手数料は、出金額に応じて決められてもよく、また出金額に関係なく一定額であってもよい。出金手数料から後述する仲介手数料を差し引いた分が金融機関ホスト５を運営する金融機関の収入となる。
【００３０】
また、ＩＤＣサーバ３は、後述するように、金融機関ホスト５による仲介手数料の送金処理に応じて、仲介手数料の一部を分配金として決定し、決定された分配金を現金提供者へ送金する送金処理を行う。分配金はＣＤ機２ごとに異なる額であってもよい。
【００３１】
また、利用者が出金装置を利用する際に、分配金相当を、直接、現金提供者に支払う方法でも同等の運営が可能となる。
【００３２】
なお、ＩＤＣサーバ３は、分配金を決定する際、ＣＤ機２から受信する出金額と出金手数料の情報に基づいて、出金取引の内容を示す出金取引レポートを作成し、作成された出金取引レポートに基づいて分配金を決定するようにしてもよい。仲介手数料とは、ＣＤ機２と金融機関ホスト５の間の通信を仲介する際に掛かる手数料である。また、分配金とは、提供する引き出し用の現金を装填する見返りとして現金提供者に支払われるものである。
【００３３】
ＩＤＣサーバ３を管理する不図示の管理者にとっては、仲介手数料から分配金を差し引いた分が収入となり、現金提供者にとっては分配金が収入となる。
【００３４】
ここで、出金取引レポートの一例について図３を用いて説明する。図３に示すように、出金取引レポートは、例えば、出金場所ＩＤ、出金日時、利用者の出金額、出金額に応じた出金手数料から構成され、ＩＤＣサーバ３に接続するＣＤ機２ごとにＩＤＣサーバ３によって作成される。なお、出金取引レポートは、これに限られるものではなく、他の情報を含むものであってもよい。
【００３５】
出金場所ＩＤは、ＣＤ機２の設置場所それぞれに割り振られた識別情報であって、この例ではＩＤが１となっている。なお、ＣＤ機２が移動式の場合の出金場所ＩＤは、例えば、ＣＤ機２それぞれに割り振られた識別情報である。
【００３６】
出金日時は、出金された日時を示し、出金額は出金された額を示し、出金手数料は出金額に応じた手数料を示している。この例では、出金手数料は出金額に応じた額となっており、出金額の５％が出金手数料となっている。しかし、出金手数料は、出金額に関係なく一定額であってもよい。
【００３７】
出金取引レポートは、所定の通信回線を通じてＩＤＣサーバ３に接続するＣＤ機２から、出金場所ＩＤ、出金日時、利用者の出金額、出金手数料の情報を受信したＩＤＣサーバ３によって、ＣＤ機２ごとに作成される。
【００３８】
ＩＤＣサーバ３による分配金の決定方法の一例について説明する。出金取引レポートによらずに分配金を決定する場合、ＩＤＣサーバ３は、金融機関ホスト５から受信する仲介手数料の一部（例えば、仲介手数料の５割など）を分配金として決定する。一方、出金取引レポートに基づいて分配金を決定する場合、ＩＤＣサーバ３は、出金額の合計値に応じて分配金を決定したり、出金取引の件数に応じて分配金を決定したりする。出金額の合計値に応じて分配金を決定する場合、例えば、合計値が１０万円以上の場合には合計値の７％を分配金とし、１０万円未満の場合には合計値の５％を分配金として決定する。出金取引の件数に応じて分配金を決定する場合には、例えば、出金取引の件数が１０件以上の場合には出金額の合計値の７％を分配金とし、出金取引の件数が１０件未満の場合には出金額の合計値の５％を分配金として決定する。
【００３９】
決済システム４は、ＣＤ機２と金融機関ホスト５を結び、キャッシュカードによる取引を処理するものであって、キャッシュカードの有効性や利用限度額などの所定のチェックを行うものである。チェックした結果に問題がなければ、問題のない旨がＣＤ機２や金融機関ホスト５に通知される。この通知により、ＣＤ機２は出金を行い、金融機関ホスト５は該当する口座から現金引き落とし処理を行う。
【００４０】
金融機関ホスト５は、上記所定のチェックに問題がなければ、ＩＤＣサーバ３から決済システム４を介して受信した出金額と出金手数料の情報に基づいて、出金額と出金手数料を合わせた額を、出金した利用者の口座から引き落とす処理を行うとともに、出金額を現金提供者の口座へ送金する送金処理をし、更に出金手数料の一部である仲介手数料の情報をＩＤＣサーバ３へ送信する。なお、仲介手数料の算出は、例えば出金手数料の５０％などとあらかじめ決められていてもよい。これにより、現金提供者には、出金額（提供した現金）が返金される。
【００４１】
上述したような構成により、すべての者（現金提供者、ＩＤＣサーバ３の管理者、金融機関ホスト５を運営する金融機関）が収入を得られ、いわゆるＷＩＮ−ＷＩＮ（ウィン−ウィン）の関係が構築できる。
【００４２】
次に、実施の形態におけるＩＤＣサーバ３の機能構成の一例について図４を用いて説明する。図４に示すように、ＩＤＣサーバ３は、受信部４０、決定部４１、出金取引レポート作成部４２、送信部４３、格納部４４から構成されている。なお、ＩＤＣサーバ３の構成は、これに限られるものではなく、他の構成要素を含むものであってもよい。
【００４３】
受信部４０は、モバイルネットワーク２０などを通じて、ＣＤ機２から出金額と出金手数料の情報（図２に示す取引データ）をＣＤ機２から受信する。
【００４４】
決定部４１は、金融機関ホスト５から送信された仲介手数料の情報に基づいて、仲介手数料の一部を分配金として決定し、決定された分配金を現金提供者へ送金する送金処理を行う。なお、決定部４１は、出金取引レポート作成部４２によって作成された出金取引レポートに基づいて分配金を決定するようにしてもよい。
【００４５】
出金取引レポート作成部４２は、受信する出金額と出金手数料の情報に基づいて、出金取引の内容を示す出金取引レポートを作成する。
【００４６】
送信部４３は、受信した出金額と出金手数料の情報を決済システム４や金融機関ホスト５へ送信する。
【００４７】
格納部４４は、ＩＤＣサーバ３を動作させるために必要なプログラムなどを格納するものである。
【００４８】
ここで、実施の形態におけるＩＤＣサーバ３を実現するためのハードウェア構成の一例について図５を用いて説明する。ハードウェア構成は、例えば、ＣＰＵ（Ｃｅｎｔｒａｌ Ｐｒｏｃｅｓｓｉｎｇ Ｕｎｉｔ）５１、ＨＤＤ（Ｈａｒｄ Ｄｉｓｋ Ｄｒｉｖｅ）５２、ＲＯＭ（Ｒｅａｄ Ｏｎｌｙ Ｍｅｍｏｒｙ）５３、ＲＡＭ（Ｒａｎｄｏｍ Ａｃｃｅｓｓ Ｍｅｍｏｒｙ）５４、通信インタフェース（Ｉ／Ｆ）５５、バス５６を備えている。ＣＰＵ５１、ＨＤＤ５２、ＲＯＭ５３、ＲＡＭ５４、通信インタフェース（Ｉ／Ｆ）５５は、例えば、バス５６を介して互いに接続されている。
【００４９】
ＣＰＵ５１は、バス５６を介して、ＨＤＤ５２などに格納されるＩＤＣサーバ３の各種処理を行うためのプログラムを読み込み、読み込んだプログラムをＲＡＭ５４に一時的に格納し、そのプログラムにしたがって各種処理を行うものであり、主として上述した決定部４１、出金取引レポート作成部４２として機能する。
【００５０】
ＨＤＤ５２には、ＩＤＣサーバ３の各種処理を行うためのアプリケーションプログラムや、ＩＤＣサーバ３の処理に必要なデータなどが格納され、主として上述した格納部４４として機能する。
【００５１】
ＲＯＭ５３は、不揮発性メモリであって、ブートプログラムやＢＩＯＳ（ＢａｓｉｃＩｎｐｕｔ／Ｏｕｔｐｕｔ Ｓｙｓｔｅｍ）などのプログラムを記憶する。
【００５２】
ＲＡＭ５４には、揮発性メモリであって、ＣＰＵ５１に実行させるためのＯＳ（Ｏｐｅｒａｔｉｎｇ Ｓｙｓｔｅｍ）プログラムやアプリケーションプログラムの一部が一時的に格納される。また、ＲＡＭ５４には、ＣＰＵ５１による処理に必要な各種データが格納される。
【００５３】
通信インタフェース（Ｉ／Ｆ）５５は、外部（ＣＤ機２、金融機関ホスト５など）とデータの送受信を行うものであり、主として上述した送信部４３として機能する。
【００５４】
バス５６は、各装置間の制御信号、データ信号などの授受を媒介する経路である。
ここで、実施の形態における出金手数料、仲介手数料、分配金の流れの一例について図６を用いて説明する。まず、利用者が、ＣＤ機２から所望の額を出金する（６１）と、金融機関ホスト５が、利用者口座から出金額と出金手数料を引き落とす処理を行う（６２）。金融機関ホスト５は、出金額に相当する額を現金提供者の口座へ送金する送金処理を行う（６３）とともに、仲介手数料の情報をＩＤＣサーバ３へ送信する（６４）。ＩＤＣサーバ３は、仲介手数料の一部を分配金として、現金提供者の口座へ送金する送金処理を行う（６５）。
【００５５】
例えば、利用者が１万円を出金した場合であって、出金手数料が出金額の５％である場合、出金手数料は５００円である。金融機関ホスト５は、出金額の１万円を現金提供者の口座へ送金する送金処理を行う。このとき、仲介手数料が出金手数料の５０％である場合、仲介手数料は２５０円となり、その情報がＩＤＣサーバ３へ送信される。分配金が仲介手数料の５０％である場合、ＩＤＣサーバ３は、分配金１２５円を現金提供者の口座へ送金する送金処理を行う。
【００５６】
以下では、ＩＤＣサーバ３を含む現金引き出しシステムの処理フローの一例について図７を用いて説明する。まず、ＣＤ機２は、利用者からキャッシュカードを受け付け、利用者が所望する出金額を受け付ける（ステップＳ７０１）。ＣＤ機２は、受け付けた出金額と出金額に応じた出金手数料の情報を、モバイルネットワーク２０などを介して、ＩＤＣサーバ３へ送信する（ステップＳ７０２）。
【００５７】
ＩＤＣサーバ３は、出金額と出金手数料の情報を受信すると、受信した出金額と出金手数料の情報を、ゲートウェイ２２を介して決済システム４へ送信する（ステップＳ７０３）。決済システム４は、キャッシュカードの有効性など所定のチェックを行い、出金に問題がないか否かを判断する（ステップＳ７０４）。出金に問題がない場合（ステップＳ７０４でＹｅｓ）、決済システム４は、出金に問題がない旨の通知をＣＤ機２へ送信するとともに、出金額と出金手数料の情報を金融機関ホスト５へ送信する（ステップＳ７０５）。
【００５８】
ＣＤ機２は、通知に基づいて出金を行う（ステップＳ７０６）。金融機関ホスト５は、受信した出金額と出金手数料の情報に基づいて、出金額と出金手数料を合わせた額を、出金した利用者の口座から引き落とす処理を行う（ステップＳ７０７）とともに、出金額を現金提供者の口座へ送金する送金処理をし（ステップ７０８）、更に出金手数料の一部である仲介手数料の情報をＩＤＣサーバ３へ送信する（ステップＳ７０９）。
【００５９】
ＩＤＣサーバ３は、金融機関ホスト５から送信された仲介手数料の情報に基づいて、仲介手数料の一部を分配金として決定し（ステップＳ７１０）、決定された分配金を現金提供者へ送金する送金処理を行う（ステップＳ７１１）。
【００６０】
なお、ステップＳ７０４において、出金に問題があると判断された場合（ステップＳ７０４でＮｏ）、決済システム４は、出金に問題がある旨の通知をＣＤ機２へ送信し（ステップＳ７１２）、ＣＤ機２は、その通知に基づいてキャッシュカードを利用者へ返却する（ステップＳ７１３）。
【００６１】
上述した現金引き出しシステム１では、利用者が所望する出金額を出金するサービス以外に、他の様々なサービスを提供することも可能である。以下では、提供可能なサービスの一例について説明する。
【００６２】
まず、ＣＤ機２を利用した定期預金の開設相談や金融商品に関する相談などの予約を行うものである。例えば、ＣＤ機２のタッチパネルＰＣ８１に不図示の各種相談メニューを表示させ、該当するメニューを選択させることで、所望する相談の予約を行うことが可能となる。この場合、ＩＤＣサーバ３は、受け付けた予約を金融機関ホスト５や不図示の金融機関の端末などへ通知する。
【００６３】
また、高額出金の予約を行うことも可能である。例えば、高額出金（２０万円の出金）を行いたい場合、ＣＤ機２のタッチパネルＰＣ８１を用いて事前に出金日時や出金額（２０万円）の予約を行うものである。この場合、ＩＤＣサーバ３は、受け付けた予約を不図示の現金提供者用端末などへ通知する。これにより、通常ではＣＤ機２で出金できない高額な現金であっても、事前に予約することでＣＤ機２において出金可能となる。
【００６４】
また、ＣＤ機２が移動式である場合、ＣＤ機２は、ＣＤ機２の現在の位置の情報や、ＣＤ機２を搭載した車輌の予定走行ルートの情報を、例えばメーリングリストなどに基づいて発信することも可能である。これにより、ＣＤ機２の利用者は、ＣＤ機２がどのあたりにいて、どのくらいしたら利用場所に到着するかを把握することができる。
【００６５】
また、ＣＤ機２が移動式である場合であって、ＣＤ機２を搭載する車輌が移動スーパーを兼ねている場合、移動スーパーの商品が不足した場合、ＣＤ機２のタッチパネルＰＣ８１を用いて、不足が生じた商品の補充予約をスーパー本部などに行うことによって、スーパー本部に戻った際にすぐに商品を補充して販売に行くことができる。この場合、ＩＤＣサーバ３は、受け付けた予約を不図示のスーパー本部の端末などへ通知する。
【００６６】
上述したような現金引き出しシステムによれば、金融機関の窓口や金融機関が設置するＡＴＭによらずに、預金口座から現金を引き出すことができる。
【００６７】
なお、上述した実施の形態では、ＩＤＣサーバ３などの主な処理をＣＰＵによるソフトウェア処理によって実行するものとして説明したが、この処理の全部又は一部をハードウェアによって実現するようにしてもよい。
【００６８】
また、上述した実施の形態は、上述したものに限定されるものではなく、実施の形態の要旨を逸脱しない範囲において種々の変更を加えることができる。
【符号の説明】
【００６９】
１  現金引き出しシステム
２  ＣＤ機
３  ＩＤＣサーバ
４  決済システム
５  金融機関ホスト
２０  モバイルネットワーク
２１  所定のネットワークサービス
２２  ゲートウェイ
４０  受信部
４１  決定部
４２  出金取引レポート作成部
４３  送信部
４４  格納部
５１  ＣＰＵ
５２  ＨＤＤ
５３  ＲＯＭ
５４  ＲＡＭ
５５  通信インタフェース（Ｉ／Ｆ）
５６  バス
８０  カード挿入口
８１  タッチパネルＰＣ
８２  紙幣取出し口
８３  レシート排出口
８４  カバー・キー
【図１】
0006560131.tif 000002
【図２】
0006560131.tif 000003
【図３】
0006560131.tif 000004
【図４】
0006560131.tif 000005
【図５】
0006560131.tif 000006
【図６】
0006560131.tif 000007
【図７】
0006560131.tif 000008
【図８】
0006560131.tif 000009